(57)【要約】本発明は、杼口の片側または両側に設けられる挿入手段によって織機の杼口に緯糸（２２）を挿入するためのキャリア（２０）に関わり、キャリア（２０）は緯糸（２２）を少なくとも部分的に囲み、緯糸（２２）は、杼口内へ挿入されると、キャリアの出口開口部から細長く伸ばされた緯糸（２２）に伸張し、前記キャリアの周面には、キャリアによるエアー伝達を推進させる手段が設けられる。本発明の目的は、織機の杼口に緯糸を挿入するためのキャリアを与えることであり、前記キャリアは、改良された空気力学的挙動と、ひいては「発射」される間の杼口を通過するより安定した移動とによって特徴付けられることができ、製織処理リスクは強く軽減される。本発明に従えば、引出し開口部のエアー伝達面積は、キャリアの周面のエアー伝達推進手段のエアー伝達面積より小さい、またはそれと等しい。
2007538171.tif 000002
【特許請求の範囲】
【請求項１】
杼口の片側または両側に設けられる挿入手段によって、織機の杼口に緯糸を挿入するためのキャリアであって、キャリアは緯糸を少なくとも部分的に囲み、緯糸は、杼口内に挿入されると、キャリアの出口開口部から細長く伸ばされた緯糸に伸張し、前記キャリアの周面には、キャリアによるエアー伝達を推進させる手段が設けられるキャリアにおいて、
引出し開口部のエアー伝達面積は、キャリアの周面のエアー伝達推進手段のエアー伝達面積より小さい、またはそれに等しいことを特徴とするキャリア。
【請求項２】
キャリアには開口部が設けられることを特徴とする請求項１記載のキャリア。
【請求項３】
前記開口部は、キャリア壁を横切る圧力差の影響で開放することを特徴とする請求項２記載のキャリア。
【請求項４】
前記開口部は、穿孔であることを特徴とする請求項２または３記載のキャリア。
【請求項５】
前記開口部は、切込穴または溝穴であることを特徴とする請求項２または３記載のキャリア。
【請求項６】
エアー伝達手段は、キャリア全体に不規則に分布することを特徴とする前請求項１〜５のいずれか１項に記載のキャリア。
【請求項７】
キャリアは、エアー透過性材料で形成されることを特徴とする請求項１に記載のキャリア。
【請求項８】
キャリアは、多孔性材料で形成されることを特徴とする請求項７に記載のキャリア。
【請求項９】
キャリアは、ガーゼ様材料で形成されることを特徴とする請求項７に記載のキャリア。
【請求項１０】
キャリアは、プラスチック材料で形成されることを特徴とする前請求項１〜９のいずれか１項に記載のキャリア。
【請求項１１】
キャリアは、円筒形状であることを特徴とする前請求項１〜１０のいずれか１項に記載のキャリア。
【請求項１２】
キャリア内径は、緯糸自身の曲げ抵抗によって、巻きがキャリア内壁に接して支持されるほど小さいことを特徴とする前請求項１〜１１のいずれか１項に記載のキャリア。
【請求項１３】
キャリア内径は、６ｍｍ以下であることを特徴とする請求項１２に記載のキャリア。
【請求項１４】
キャリアは、引出し開口部付近が狭窄していることを特徴とする前請求項１〜１３のいずれか１項に記載のキャリア。
【請求項１５】
キャリアには、キャリアが杼口を通過して移動する間、キャリアを支持する支持手段が設けられることを特徴とする前請求項１〜１４のいずれか１項に記載のキャリア。
【請求項１６】
支持手段は、キャリアの長手軸方向に、キャリアに形成される突出エッジとして構成されることを特徴とする請求項１５に記載のキャリア。
【発明の詳細な説明】
【発明の詳細な説明】
【０００１】
本発明は、杼口の片側または両側に配置される挿入手段を経て、織機の杼口に緯糸を挿入するための、請求項１の前提部に従うキャリアに関する。
【０００２】
前述の導入部に引用されるキャリアは、たとえばオランダ国特許第７３０９８５０号明細書に、特に米国特許第４０４６１７４号明細書に記載される。供給ボビンによってもたらされる緯糸は、杼とも呼ばれる公知のキャリアに接続され、その後、キャリアは、たとえば圧縮エアーといった加圧下の媒体を用いることによって、杼口のどちらか一方側に設けられる挿入手段によってプロジェクタイルとして発射され、杼口に配置されるガイドを経て杼口を通過して運ばれる。
【０００３】
これら公知の装置の欠点、特に米国特許第４０４６１７４号明細書に記載される杼の欠点は、巻数が多く、ひいては重いキャリアを杼口を通過して移動させるために要求される全エネルギが、移動の開始位置、つまり挿入手段のある位置でキャリアに付与されなければならない、という事実である。適当な幅の杼口を通過してプロジェクタイルを運ぶことができるように、多量のエネルギがプロジェクタイルの移動の開始位置でキャリアに供給されて、かなり速い初速度であるので、結果として、移送される緯糸に高いピーク張力をもたらす。さらに、これはキャリアがかなり大きな慣性質量を有する必要があることを意味する。公知の織機のこれらの側面は、製造される布地の速度、複雑度および最大幅に関して、織機の機能性に制限を課す。
【０００４】
前述の制限は、オランダ国特許第１００４１７３号明細書に記載されるキャリアおよび織機によって部分的に克服される。前記特許出願に記載される織機において、補助ブロワが杼口に設けられており、補助ブロワには加圧下の媒体のために流出開口部が設けられ、杼口を通過するプロジェクタイルの移動を助力するために、流出開口部は作動中に案内されるキャリアの影響表面に影響を与える。これらの側面を利用して、杼口を通過してプロジェクタイルを運ぶために要求される全エネルギを、杼口の開始位置でキャリアに付与することは、もはや不可欠ではない。実際、杼口の幅は、補助ブロワが用いられるときには、もはや制限に縛られないが、今なお大きな慣性質量を有するキャリアを用いることが不可欠であり、公知の織機のこの実施形態は、その構造および制御に関してより複雑である。
【０００５】
さらに、オランダ国特許出願公開第１０２３９４３号明細書は、糸玉の形に緯糸を囲むキャリアの使用を提案しており、杼口内に挿入されると糸玉は杼口の長さに伸びる。前記キャリアの大きさは糸玉の大きさに相当し、キャリアの重さは挿入される糸玉の重さと同位である。オランダ国特許第１０２３９４３号明細書で使用されるキャリアの軽い重量および制限された大きさによって、キャリアを挿入して減速するための複雑で頑丈な手段を使用する必要は取除かれるので、単純な構造の挿入機構を満足させるであろう。
【０００６】
それに加えて、杼口を通過する公知のキャリアの移動は、織機の挿入手段によってキャリアへ供給されるエアージェットパルスの悪影響を受ける。キャリアの空気力学的挙動は、キャリアの杼口を通過する移動が直線的であるが、あまり安定的でないほどに、エアージェットパルスによって悪影響を受ける。これは、杼口を通過する移動と緯糸の挿入とが（完全に）生じないという事実によって引き起こされる製織過失を導く。
【０００７】
特に、この後者の欠点を取除くために、本発明の目的は、織機の杼口に緯糸を挿入するためのキャリアであって、改良された空気力学的挙動と、ひいては「発射」される間の杼口を通過するより安定した移動とによって特徴づけられ得るキャリアを与えることであり、結果として製織処理は強く改良される。
【０００８】
本発明に従えば、引出し開口部のエアー伝達面積は、キャリア周面のエアー伝達推進手段のエアー伝達面積より狭い、またはそれと等しい。
【０００９】
したがって、周面のエアー伝達推進手段を通過するエアーのネット伝達は常に生じるため、挿入手段によって供給されるエアージェットパルスであって、引出し開口部を狙ったエアージェットパルスは、引出し開口部を経てよりもむしろ、常に周面を経てキャリアから抜け出るであろう。前者の状況、つまり引出し開口部を経る状況は、杼口を通過する移動が制御されず、ひいてはキャリアから伸びる緯糸の挿入があまり制御できない結果となる。このエアーのネット伝達の結果として、キャリアは、挿入手段が杼口を通過してキャリアを移動させるための各「発射」毎にキャリアへ送るエアージェットパルスに、それほど敏感ではない。これは、杼口を通過するキャリアのより安定した「飛行」、および杼口への緯糸の改良された挿入をもたらし、従って連続した緯糸の容易に制御可能な挿入をもたらす。
【００１０】
緯糸の挿入に関わる別の方法に従えば、杼口の傍らにキャリアを配置することも可能で、キャリアを適所に固定し、その後、挿入手段がキャリアから杼口内へ緯糸を引っ張る。エアー伝達手段は、固定して設けられるキャリアから緯糸を引っ張るのを助力し、糸玉としてキャリアから引っ張られるというよりむしろ、緯糸が完全に伸ばされるようにしてなされる。
【００１１】
さらに、エアー伝達手段の存在は、ある長さの緯糸をキャリアに充填し、同様にエアーパルスによって杼口内にキャリアを発射する手助けをする。供給されるエアーパルスはキャリアに大きな（一時的な）力／圧力を及ぼし、キャリアへの損傷を防ぐために、力は迅速にそらされる必要がある。エアー伝達手段を介した、キャリアを横切る力および圧力差を迅速にそらすことによって、キャリアに起こり得る変形であって、織機の加速局面中にキャリアが引っ掛るか詰まる結果に終わる変形を防ぐ。
【００１２】
特定の実施形態に従えば、キャリアには開口部が設けられる。開口部は穿孔、溝穴の切込穴の形であってもよい。
【００１３】
別の実施形態において、キャリアはエアー透過性、特に多孔性材料、さらに、特にガーゼ様またはフィルタ生地材料で形成される。
【００１４】
全ての実施形態においてエアー伝達特性を有するキャリアが得られ、その結果として、挿入手段によって供給されるエアージェットパルスが、杼口を通過するキャリアの移動または「飛行」へ及ぼす負の影響は、現在の状況よりかなり小さいだろう。本発明に従うキャリアは、製織処理に正の影響を及ぼす空気力学的挙動を示す。同じ一連の論理が、固定して設けられるキャリアであって、緯糸が引っ張られるキャリアに適用される。その場合も、緯糸は糸玉全体としてキャリアから引っ張られず、絡まらないので、緯糸は杼口内で完全に伸びるだろう。
【００１５】
本発明に従えば、キャリアはプラスチック材料から形成される。これによって、軽くて、廉価なユニットとして大量にキャリアを製造することができ、さらにそのキャリアは再利用できる。
【００１６】
特別な実施形態に従えば、キャリアは円筒形状であり、それは、一方では挿入手段によって供給されるエアージェットパルスの影響下で杼口を通過する安定した移動を実現させるためで、他方では緯糸の充分な保持とキャリアからの緯糸の滑らかな伸張とを実現させるためである。また、他の形状、特に多角形（三角形、四角形等）が考えられる。
【００１７】
特定の実施形態において、キャリア内径は、たとえば６ｍｍ以下と小さいため、緯糸自身の曲げ抵抗によって、巻きがキャリア内壁に接して支持される。結果として、緯糸が伸ばされるときに絡まらないように、緯糸はキャリア内に保持される。これは、効率および製織結果に正の効果を与える。
【００１８】
機械的実施形態において、キャリアは引出し開口部付近が狭窄しており、この狭窄は、キャリアによって囲まれる緯糸が、杼口を通過して移動する間に全体として一回でキャリアから引き抜かれるのを防ぐためである。したがって、パックされた緯糸はキャリア内に保持され、緯糸は杼口を通過して移動する間に糸の全長にわたって伸びる。製織過失等もまたこのように防がれる。
【００１９】
さらに、本発明に従って、杼口内へ挿入されるとキャリアを支持する支持手段がキャリアに設けられるという点で、杼口を通過して移動する間にキャリアの空気力学的挙動は確実に改良される。前記支持手段は、キャリアの長手軸方向に、キャリアに形成される突出エッジとして構成されてもよい。
【００２０】
本発明は、図を参照してより詳細に説明される。
本発明のより詳しい理解のために、以下の図の記載において、同類部位は同じ数字によって指示される。
【００２１】
図１および図２は、たとえばオランダ国特許第７３０９８５０号明細書またはオランダ国特許第１００４１７３号明細書において記載される公知の織機の実施形態を示す。
【００２２】
公知の織機は、レイ１を含み、経糸４の杼口３を形成するための手段２が設けられており、前記経糸４は経糸供給ボビン５によってもたらされる。多数のデント６は、相互にいわゆる「筬」を形成し、デントはレイ１に配置されており、デントは経糸４の間を移動することができる。さらに、多数のガイド７は、杼口３の一方側から杼口３の反対側へプロジェクタイルを案内するために、レイ１に配置される。
【００２３】
図示されるように、プロジェクタイル８は杼口３の左手側に設けられる挿入ステーション９にあり、制動ステーション１０は杼口３の反対側に設けられる。供給ボビンによってもたらされる緯糸１１は公知の方法でプロジェクタイル８に接続され得る。たとえば圧縮エアーまたは水といった加圧下の媒体によって、かなりの衝撃エネルギ量がプロジェクタイル８に付与される。結果として、プロジェクタイル８は加速されて、高速度で杼口３を通過するように移動または「発射」され、前記プロジェクタイル８は緯糸１１を持ち運ぶ。したがって、プロジェクタイル８は杼とも呼ばれる。
【００２４】
高速度で杼口３を通過して移動するプロジェクタイル８は、杼口３の反対側（図１の右側）で減速されなければならない。これを受けて、制動ステーション１０は杼口３の傍らに直接設けられており、ステーション１０は、プロジェクタイルが杼口３から離れるように、プロジェクタイルを捕えて減速させる。同様に、プロジェクタイル８は、挿入ステーション９と同様に配置される挿入ステーション９’（図示せず）によって高速度で杼口３の右手側から左手側に移動（「発射」）され得、前記挿入ステーション９’は杼口３の右手側に配置される。
【００２５】
さらに、制動ステーション１０’（図示せず）は、杼口３の右手側から左手側へ移動するプロジェクタイル８を捕えて減速させるために、挿入ステーション９の位置に設けられる。
【００２６】
プロジェクタイル８の大きな慣性質量と、杼口３のしばしばかなり広い幅Ｌとによって、プロジェクタイル８を比較的高速度で杼口３を通過して移動させることが要求される。キャリアの加速度および速度の結果として緯糸１１に付加される力は、好ましくないピーク張力をもたらし、それが糸を切断する原因になるかもしれない。さらに、高速度で杼口を通過して移動するプロジェクタイル８は、別々の制動ステーション１０（１０’）によって杼口の端で捕えられ、減速されなければならない。前記減速度もまた、特に緯糸がプロジェクタイルを減速させるために用いられる状況は、緯糸の好ましくないピーク張力をもたらすかもしれない。
【００２７】
特に、緯糸１１の好ましくないピーク張力を防ぐために、杼口３を通過するように「発射」されるプロジェクタイル８の初速度はより遅いことが要求されるが、より遅い初速度によって杼口３の最大幅を制限することにもなる。先行技術において、杼口３を通過するプロジェクタイル８の移動を案内するために主に機能するガイド７を、媒体ブロワとして具体化する提案は既になされている。前記媒体ブロワ７は、レイ１に備え付けられ、媒体供給ライン１７に接続される。各ガイド７は、電磁弁１８を経て主媒体供給ライン１９に接続されてもよい。
【００２８】
公知の織機のこの構造は、如何なる場合でも、緯糸１１が杼口を通過して移動する間に、緯糸１１のより低いピーク張力をもたらす。杼口にある緯糸１１およびプロジェクタイル８を減速させるために、制動ステーションは今でも不可欠であるが、織機のコストがかかる要素であるために、公知のキャリアおよび公知の織機は今でも幾分複雑である。また、制御ステーション１０による緯糸の減速によって、緯糸のピーク張力および糸の切断に関わるさらなるリスクがもたらされる。
【００２９】
図３ａ〜図３ｄは、本発明に従うキャリアの実施形態を開示する。キャリア２０は、細長く、好ましくは円筒形の要素で構成され、該要素は実質的に閉鎖された前端部２０ａ（杼口を通過して移動する方向に見られる）および開放された後端部２０ｂ（同様に杼口を通過して移動する方向に見られる）を備える周面２１を有する。
【００３０】
緯糸２２は、パックされた糸玉の形で空洞の円筒キャリア２０内にあるため、キャリア２０は、緯糸２２のパックされた糸玉を少なくとも部分的に囲む。緯糸２２の端部２３は、開放されたキャリア２０の後端部２０ｂを経てキャリア２０から突き出る。
【００３１】
糸の端部２３は挿入手段によって保持され（図１参照）、キャリア２０は、たとえばエアーまたは水等の加圧下の媒体によって杼口内に「発射」される。緯糸２２は、杼口を通過してキャリアが移動する間に、開放されたキャリア後端部２０ｂから引っ張られ、緯糸２２を杼口の幅全体に伸ばす。
【００３２】
したがって、織機は、より高速の稼動、つまり高速製織を可能にする、より軽量の要素で構成され得る。特に、本発明に従うキャリアを用いるとき、糸それ自身よりもむしろ、キャリアおよび糸２２のパックされた糸玉に力が及ぼされる。
【００３３】
解けた糸よりも糸玉が杼口内に挿入されると、糸のピーク張力は未然に防がれる、というのも、キャリアが挿入されると、挿入手段によって及ぼされる加速力にさらされるのは（解けた糸の代わりに）糸玉であるからである。
【００３４】
杼口内へ挿入されると、糸玉は徐々に緯糸に解かれるので、緯糸には実質的に一定してより弱い張力が存在し、現在公知の緯糸製織機で一回の緯糸の完全減速時に通常生じるピーク張力は存在しない。
【００３５】
また、キャリアを杼口の傍らの固定位置に設け、キャリアから緯糸を引く挿入手段を有することも可能であることから、緯糸は実質的に一定した弱い張力で杼口内に徐々に引っ張られる。
【００３６】
エアー製織の場合、キャリアを加速させて杼口を通過して移動させるために、エアーパルスはキャリアに供給される。キャリアの開放された後端部２０ｂは、キャリアが事実上エアーインタレセプタとして機能することを可能にするので、杼口を通過するキャリアの移動を助力するようにキャリアの加速は生じる。一方、エアーが渦巻くと前記移動は予測不可能になるため、前記移動は、あまり安定せず、あまり漸進的でない形で生じるだろう。
【００３７】
図３ｂ〜図３ｄは、この欠点を解消する多くの案を提示する。本発明に従えば、図３ｂ〜図３ｄに示されるキャリアには、挿入手段によって供給されるエアーパルスからのエアーの伝達を推進させる手段が設けられる。１つの実施形態（図３ｂ）において、エアー伝達推進手段は、キャリア２０の周面２１に形成される多数の開口部または穿孔２４から成る。
【００３８】
緯糸のストロークごとに挿入手段によって供給されるエアーパルスは、キャリア２０によって捕えられ、従って前記開口部または穿孔２４を経て容易に脱出することができ、キャリア２０が杼口を通過して移動する間は、あまり不安定ではなく、より安定して漸進的な「飛行」となる。結果として、本発明に従うキャリア２０の空気力学的挙動は強く改良される。
【００３９】
図３ｃに示される別の実施形態において、キャリア２０によってエアーの伝達を推進させる開口部は、周面２１に形成される様々な切込穴または溝穴２５から成る。前記切込穴はＶ字形であってもよい。開口部は、キャリア壁を横切る特定の圧力差で開放されるように構成されてもよく、それは、前記圧力差を等しくし、円滑にキャリアから緯糸を引っ張るためである。
【００４０】
別の機能的実施形態において、図３ｄに示されるように、キャリアはエアー透過性または多孔性材料２６で形成される。フィルタ生地またはガーゼ様材料はかなり適した材料であり、後端部２０ｂを経てそれら材料を通過して入り込むエアーフローは、容易に脱出することができる。
【００４１】
特に、キャリア２０によるエアー伝達を推進させる開口部は、キャリア２０の周面２１全体に均一に分布される。しかし、糸玉はキャリア２０の前端部２０ａに通常あるので、エアー伝達推進手段は、開口部２４、溝穴２５またはガーゼ様材料２６のメッシュの大部分がキャリア２０の引出し開口部２０ｂ付近に主に位置されるように、キャリアの周面全体にあまり均一に分布されなくてもよい。
【００４２】
図４は、本発明に従うキャリアの別の実施形態を示し、キャリアには引出し開口部２０ｂ付近に狭窄部またはくびれ部２６が設けられる。前記狭窄部またはくびれ部２６は、糸玉の形でキャリアから抜き出されることなく、杼口を通過してキャリア２０が移動する間に、結ばれていない端２３を経て、糸２２の糸玉が緯糸２２に完全に伸ばされることを確実にする。この構造はさらなる製織過失の発生を防ぐ。
【００４３】
もし、本発明に従って、引出し開口部２０ｂのエアー伝達面積Ｘ（締め付けられても締め付けられなくてもよい）が、エアー伝達を推進させるように機能するキャリア２０の周面２１のエアー伝達推進手段２４−２５−２６の面積Ｙより小さい、またはそれと等しい場合、一般に、糸玉を形成するためにキャリアに緯糸を充填する間、および杼口を通過してキャリアが移動して、同時に糸玉が緯糸へ伸張する間のキャリアの空気力学的挙動は、大いに改良される。したがって、キャリアに流れ込む媒体の量は、周面２１のエアー伝達推進手段２４−２５−２６を経て脱出し得る媒体の量より常に少ないであろうから、加圧下の媒体はキャリア２０に蓄積し得ない。このように、杼口を通過するキャリアの所望されない（不安定な）移動は、従って防がれる。
【００４４】
さらに、別の実施形態が図５に示されている。杼口を通過してキャリア２０が移動する間に、キャリア２０の空気力学的挙動をさらに改良するために、本発明に従うキャリアには、キャリア２０の長手軸方向に、キャリア２０に形成される１つ以上の突出エッジ２７が設けられる。
【００４５】
前記突出エッジ２７は、キャリアが杼口を通過して移動する間に、キャリアを支持する支持フィンまたはフラップとして機能し、したがって突出エッジ２７は、杼口を通過するより直線的でより安定した移動を可能にする。
【図面の簡単な説明】
【００４６】
【図１】先行技術に従う織機を示す。
【図２】先行技術に従う織機を示す。
【図３ａ】本発明に従うキャリアの実施形態を示す。
【図３ｂ】本発明に従うキャリアの実施形態を示す。
【図３ｃ】本発明に従うキャリアの実施形態を示す。
【図３ｄ】本発明に従うキャリアの実施形態を示す。
【図４】本発明に従うキャリアの別の実施形態を示す。
【図１】
2007538171.tif 000003
【図２】
2007538171.tif 000004
【図３Ａ】
2007538171.tif 000005
【図３Ｂ】
2007538171.tif 000006
【図３Ｃ】
2007538171.tif 000007
【図３Ｄ】
2007538171.tif 000008
【図４】
2007538171.tif 000009
【図５】
2007538171.tif 000010
【国際調査報告】
2007538171.tif 000011
2007538171.tif 000012
2007538171.tif 000013